(57)【要約】【課題】　　　薬品の使用状況を簡易かつ正確に管理し、これにより使用された薬品の在庫管理や会計処理などの管理処理を簡易かつ正確に行うことにある。【解決手段】　薬品投与対象患者の識別情報を受け取った後、薬品指定信号に基づいて薬品を払出すとともに、患者識別情報、払出し薬品の種別を含む払出し数量情報を送信する少なくとも１つの薬品払出し手段と、この薬品払出し手段から送信されてくる払出し数量情報を受信し、当該薬品払出し手段における払出し薬品の在庫管理を行う薬品管理手段と、前記薬品払出し手段から送信されてくる払出し数量情報を受信し、各患者の使用薬品及び若しくは払出し薬品種別の使用状況を管理する手段とを設けた薬品払出し管理システムである。【選択図】　　　図１
2004030692.tif 000002
【特許請求の範囲】
【請求項１】
　薬品投与対象患者の識別情報を受け取った後、薬品指定信号に基づいて薬品を払出すとともに、患者識別情報、払出し薬品の種別を含む払出し数量情報を送信する少なくとも１つの薬品払出し手段と、
　この薬品払出し手段から送信されてくる払出し数量情報を受信し、当該薬品払出し手段における払出し薬品の在庫管理を行う薬品管理手段と、
　前記薬品払出し手段から送信されてくる払出し数量情報を受信し、各患者の使用薬品及び若しくは払出し薬品種別の使用状況を管理する手段とを具備したことを特徴とする薬品払出し管理システム。
【請求項２】
　薬品投与対象患者の識別情報を受け取った後、薬品指定信号に基づいて薬品を払出すとともに、患者識別情報、払出し薬品の種別を含む払出し数量情報を送信する少なくとも１つの薬品払出し手段と、
　この薬品払出し手段から送信されてくる払出し数量情報を受信し、当該薬品払出し手段における払出し薬品の在庫管理を行う薬品管理手段と、
　前記薬品払出し手段から送信されてくる払出し数量情報を受信し、各患者に請求する費用算出情報の管理をする手段とを具備したことを特徴とする薬品払出し管理システム。
【請求項３】
　薬品投与対象患者の識別情報を受け取った後、薬品指定信号に基づいて薬品を払出すとともに、患者識別情報、払出し薬品の種別を含む払出し数量情報を送信する少なくとも１つの薬品払出し手段と、
　この薬品払出し手段から患者識別情報、払出し薬品の種別を含む払出し数量情報を受信し、前記薬品払出し手段における払出し薬品の在庫管理を行うとともに、受信した患者識別情報を含む料金管理用情報を送信する薬品管理手段と、
　この薬品管理手段から料金管理用情報を受信し、各患者に請求する費用算出情報の管理をする手段とを具備したことを特徴とする薬品払出し管理システム。
【発明の詳細な説明】
【技術分野】
【０００１】
　本発明は、医療機関などにおいて注射液などの薬品を保存・管理するための薬品払出し管理システムに関する。
【背景技術】
【０００２】
　医療機関などにおいて注射液などの薬品は一般に、引き出し式のラックやボックスなどに収容して保存・管理している。そして必要な薬品は人手によって該当する引き出しやボックスから取り出されるものとなっている。
【０００３】
　そして薬品の使用状況（使用量、在庫量など）は人手によって管理している。このため、使用状況の管理には手間を要する上に、正確に管理しきれないおそれがある。
【０００４】
　大病院などにおいては、各処置室に配置される薬品を定数管理している。定数管理とは、在庫量が所定の補充点を下回ったことに応じて所定の定量まで補充することにより常に一定量の在庫量を維持するようにしたものである。従って、この定数管理を良好に機能させるには在庫量を正確に把握しておくことが必要であるが、上述の如く在庫量等を正確に管理できないと定数管理が正常に機能しなくなってしまう。そして定数管理が正常に機能しないと、薬品補充に関する管理や棚卸しの作業が複雑となり、在庫管理に手間がかかる。
【０００５】
　一方、会計処理をするにあたっては、施した処置に関する情報の連絡を処置室から受け、この情報を人手によって会計処理用のコンピュータに入力している。このため、会計処理のための作業が複雑で手間がかかる上に、連絡ミスや入力ミスなどによる請求誤りが生じるおそれがあった。
【発明の開示】
【発明が解決しようとする課題】
【０００６】
　以上のように従来は、薬品に関する管理のほとんどを人手に頼っているために、薬品の使用にかかわってなされる在庫管理や会計処理などに手間がかかる上に、それらの処理を正確に行うことが困難であるという不具合があった。
【０００７】
　本発明はこのような事情を考慮してなされたものであり、その目的とするところは、薬品の使用状況を簡易かつ正確に管理することができ、これにより薬品の使用にかかわる在庫管理や各患者ごとの使用薬品、払出し薬品種別の使用状況、各患者に請求する費用算出情報等を的確に管理処理する薬品払出し管理システムを提供することにある。
【課題を解決するための手段】
【０００８】
　（１）　上記課題を解決するために、本発明に係る薬品払出し管理システムは、薬品投与対象患者の識別情報を受け取った後、薬品指定信号に基づいて薬品を払出すとともに、患者識別情報、払出し薬品の種別を含む払出し数量情報を送信する少なくとも１つの薬品払出し手段と、この薬品払出し手段から送信されてくる払出し数量情報を受信し、当該薬品払出し手段における払出し薬品の在庫管理を行う薬品管理手段と、前記薬品払出し手段から送信されてくる払出し数量情報を受信し、各患者の使用薬品及び若しくは払出し薬品種別の使用状況を管理する手段とを設けた構成である。
【０００９】
　この発明は以上のような構成とすることにより、薬品は薬品払出し手段によって指定されたものが払出されるので、薬品の払い出し状況を正確に把握できる。そしてこの正確に把握された薬品の払出し状況を表す数量情報に基づいて、薬品管理手段が薬品払出し手段における払出し薬品の在庫管理を行う一方、同じく薬品の払出し状況を表す数量情報に基づいて各患者ごとの使用薬品及び若しくは払出し薬品種別の使用状況を管理することができる。
【００１０】
（２）　また、本発明に係る薬品払出し管理システムは、薬品投与対象患者の識別情報を受け取った後、薬品指定信号に基づいて薬品を払出すとともに、患者識別情報、払出し薬品の種別を含む払出し数量情報を送信する少なくとも１つの薬品払出し手段と、この薬品払出し手段から送信されてくる払出し数量情報を受信し、当該薬品払出し手段における払出し薬品の在庫管理を行う薬品管理手段と、前記薬品払出し手段から送信されてくる払出し数量情報を受信し、各患者に請求する費用算出情報の管理をする手段とを設けた構成である。
【００１１】
　この発明は以上のような構成とすることにより、前記（１）と同様に薬品の払出し及び在庫管理を正確に行うことができるとともに、患者識別情報、払出し薬品の種別を含む薬品の払出し状況を表す数量情報に基づいて、各患者に請求する費用算出情報の管理を行うことができる。
【００１２】
（３）　本発明に係る薬品払出し管理システムは、薬品投与対象患者の識別情報を受け取った後、薬品指定信号に基づいて薬品を払出すとともに、患者識別情報、払出し薬品の種別を含む払出し数量情報を送信する少なくとも１つの薬品払出し手段と、この薬品払出し手段から患者識別情報、払出し薬品の種別を含む払出し数量情報を受信し、前記薬品払出し手段における払出し薬品の在庫管理を行うとともに、受信した患者識別情報を含む料金管理用情報を送信する薬品管理手段と、この薬品管理手段から料金管理用情報を受信し、各患者に請求する費用算出情報の管理をする手段とを設けた構成であり、前記（２）項と同様な作用効果を奏することができる。
【発明の効果】
【００１３】
　本発明は、薬品の使用状況を簡易かつ正確に管理することができ、これにより薬品の使用にかかわる在庫管理、各患者ごとの使用薬品、払出し薬品種別の使用状況、さらには各患者に請求する費用算出情報等を的確に管理処理する薬品払出し管理システムを提供できる。
【発明を実施するための最良の形態】
【００１４】
　以下、図面を参照して本発明の一実施例につき説明する。
【００１５】
　図１は本実施例に係る薬品払出し管理システムの概略構成を示すブロック図である。このシステムは、サーバ＆クライアント型のＬＡＮにより実現されている。すなわち、クライアントとしてのｎ個（ｎは任意の整数であり、例えば１７）の処置室端末１（1-1 〜1-n ）および薬剤部端末２と、サーバ４とがＬＡＮ回線５を介して接続されている。なお処置室端末1-1 〜1-n 、薬剤部端末２およびサーバ４のそれぞれは、トランシーバ（ＴＲ）6-1 〜6-n ，７，８，９を介してＬＡＮ回線５との間の信号の授受を行う。ＬＡＮ回線５には、伝送される信号を中継するためのレピータ１０（10-1〜10-m）が必要に応じて介挿され、十分な伝送距離が確保されている。
【００１６】
　処置室端末1-1 〜1-n は、医療機関において患者に対して処置を施すため処置室に必要に応じて設置される端末である。また薬剤部端末２は、医療機関における薬剤を総括管理する薬剤部に設置される端末である。なお薬剤部端末２にはモデム１１が接続されており、このモデム１１を用いて通信回線１２およびモデム１３を介して上位ホスト１４との間で情報の授受を行うことができる。そして上位ホスト１４は、患者に対する会計処理などの医事業務を行う。
【００１７】
　図２は処置室端末１の外観を示す斜視図である。図中、２１は薬品を収容するラック、２２はラック２１の制御を司る機能を有したパーソナルコンピュータ、２３はラック２１の前面に貼付されたラベル２４に形成されているバーコードを読み取るためのバーコードスキャナ、２５は本装置の操作者がパーソナルコンピュータ２２に対して各種の必要な情報を入力するためのキーボード、２６は本装置の操作者に対して各種の必要な情報を表示するためのディスプレイ、２７は患者の個人情報が記憶された患者ＩＤカードを読み取るためのカードリーダをそれぞれ示している。
【００１８】
　ラック２１の前面には、払出し口２１ａが複数（例えば６×５のマトリクス状で計３０個）設けられており、この払出し口２１ａのそれぞれに対応した位置（払出し口２１ａの上方）にラベル２４が貼付されている。また払出し口２１ａのそれぞれに対応して、払出し口２１ａから払い出されるアンプル（薬品が収容されている）を受ける払い出しトレイ２１ｂが設けられている。
【００１９】
　ラック２１の内部には、例えば図３に示すような払出し機構２８が配置されている。この払出し機構２８は、薬品収容トレイ２８ａ、薬品押上げ部材２８ｂおよび押上げ部材駆動機構２８ｃからなる。
【００２０】
　薬品収容トレイ２８ａは、その底面がラック２１の前面に向かうに従って低くなる傾斜面をなし、載置されるアンプル２９をラック２１の前面側に詰めた状態で保持する。また薬品収容トレイ２８ａにおけるラック２１の前面側の端部には、アンプル２９が落下することがない程度の開口が設けられている。薬品収容トレイ２８ａは、図示しないレールによって支持されており、この薬品収容トレイ２８ａはラック２１の前面を開放した状態においてラック２１の外部へと引き出すことが可能となっている。そしてこのように薬品収容トレイ２８ａをラック２１の外部へと引き出した状態において、薬品収容トレイ２８ａへのアンプル２９の補充が行える。
【００２１】
　薬品押上げ部材２８ｂは、上面が傾斜面をなしており、その傾斜面がラック２１の前面に向かうに従って低くなる状態で配置されている。この薬品押上げ部材２８ｂは、通常は薬品収容トレイ２８ａの下方に位置しているが、押上げ部材駆動機構２８ｃによって駆動され、図中に矢印で示す如く薬品収容トレイ２８ａの開口を通って上下動する。
【００２２】
　押上げ部材駆動機構２８ｃは、例えばソレノイド、あるいはモータおよびこのモータの回転動作を上下動作に変換する部材の組み合わせからなる例えば周知の構成のものであり、薬品押上げ部材２８ｂを図中に矢印で示す如く上下動させる。
【００２３】
　図４は以上のような構造の処置室端末１の電気的な構成を示す機能ブロック図である。なお、図２および図３と同一部分には同一符号を付する。
【００２４】
　この図に示すように、バーコードスキャナ２３、キーボード２５、ディスプレイ２６、カードリーダ２７、各払出し機構２８およびトランシーバ６は、それぞれパーソナルコンピュータ２２に接続されている。
【００２５】
　パーソナルコンピュータ２２は周知の構成をなすものであるが、動作プログラムによって実現される処置室業務処理手段２２ａを有している。この処置室業務処理手段２２ａは、処置室業務に関する所定の処理を実行するものである。なお処置室業務に関する所定の処理は、バーコードスキャナ２３でスキャンされたバーコードに対応する薬品を払い出すべく払出し機構２８のいずれかを駆動制御するとともに、この薬品の払出しに係る所定の情報を薬剤部端末２に送信する処理を含んでいる。
【００２６】
　図５は薬剤部端末２の電気的な構成を示す機能ブロック図である。この図に示すように薬剤部端末２は、パーソナルコンピュータ５１、バーコードスキャナ５２、キーボード５３、ディスプレイ５４、漢字プリンタ５５およびカードリーダ５６を有し、バーコードスキャナ５２、キーボード５３、ディスプレイ５４、漢字プリンタ５５およびカードリーダ５６がそれぞれパーソナルコンピュータ５１に接続されている。またパーソナルコンピュータ５１には、トランシーバ７およびモデム１１がそれぞれ接続されている。
【００２７】
　バーコードスキャナ５２は、薬剤庫において薬剤を収納してある収納ボックスや薬剤の補充時に用いる補充ボックスに形成されているバーコードを読み取るためのものである。キーボード５３は本装置の操作者がパーソナルコンピュータ５１に対して各種の必要な情報を入力するためのものである。ディスプレイ５４は本装置の操作者に対して各種の必要な情報を表示するためのものである。漢字プリンタ５５は、出庫指示伝票をプリントするためのものである。カードリーダ５６は患者の個人情報が記憶された患者ＩＤカードを読み取るためのものである。
【００２８】
　ところで、パーソナルコンピュータ５１は周知の構成をなすものであるが、動作プログラムによって実現される薬剤部業務処理手段５１ａを有している。この薬剤部業務処理手段５１ａは、薬剤部業務に関する所定の処理を実行するものである。なお薬剤部業務に関する所定の処理は、薬品の払出しに係る所定の情報を各処置室端末１から受け、この情報に基づいて薬剤の使用状況の管理を行う処理を含んでいる。
【００２９】
　次に以上のように構成された薬品払出し管理システムの動作を説明する。
【００３０】
　まず処置室端末１のパーソナルコンピュータ２２は、補充モードが指定されるか、またはカードリーダ２７により患者ＩＤカードの読み取りがなされるのを待っている（図７中のステップ７ａおよびステップ７ｂ）。
【００３１】
　さて、操作者は薬品を取り出す場合、まず取り出す薬品の投与対象となる患者の患者ＩＤカードをカードリーダ２７に読み取らせたのち、取り出したい薬品に対応するラベル２４に形成されているバーコードをバーコードスキャナ２３によりスキャンさせる。なお、ラベル２４にはバーコードに並べて薬品名が記載してあり、操作者はスキャンさせるべきバーコードを容易に判定できる。
【００３２】
　パーソナルコンピュータ２２は、通常は払出しモードとなっており、補充モードが指定されることなくカードリーダ２７により患者ＩＤカードの読み取りがなされると、払い出すべき薬品の指定がバーコードスキャナ２３にてなされるか、または払出しの終了がなされるのを待つ（ステップ７ｃおよびステップ７ｄ）。そして前述のようにバーコードスキャナ２３によりバーコードのスキャンがなされると、パーソナルコンピュータ２２は、指定された薬品を払い出すための払出し処理を行う（ステップ７ｅ）。具体的には、バーコードスキャナ２３がバーコードを読み取って得られた信号からバーコードを判別し、このバーコードに対応する払出し機構２８に対してアンプル２９の払出しを指示する。
【００３３】
　払出し機構２８では、パーソナルコンピュータ２２からの指示は押上げ部材駆動機構２８ｃに与えられる。そして押上げ部材駆動機構２８ｃはパーソナルコンピュータ２２からの指示を受けると、薬品押上げ部材２８ｂを１往復だけ上下動させる。薬品押上げ部材２８ｂが上方に移動すると、薬品収容トレイ２８ａに収容されているアンプル２９のうちでラック２１の前面側に位置する１つが押し上げられる。そして薬品押上げ部材２８ｂが図３に破線で示す位置に到達すると、アンプル２９は払出し口２１ａから払出しトレイ２１ｂへと転がり出る。さらに薬品押上げ部材２８ｂが図３に実線で示す位置に戻ると、薬品収容トレイ２８ａに残留しているアンプル２９が薬品収容トレイ２８ａ上を転がり、ラック２１の前面側に詰まった状態となる。
【００３４】
　かくして、パーソナルコンピュータ２２からの指示が与えられる毎に、アンプル２９が１つずつ払出しトレイ２１ｂへと払い出される。なお、パーソナルコンピュータ２２はステップ７ｅにて１回のバーコードスキャンに対する払出し処理を行ったのちにはステップ７ｃに戻るので、バーコードスキャナ２３によりバーコードのスキャンがなされる毎に上述の動作が繰り返され、指定された薬品のアンプルが１つずつ払出しトレイ２１ｂへと払い出される。
【００３５】
　そして１人の患者に対応する薬品の取り出しが終了したら、作業者はキーボード２５での所定のキー操作をするか、または終了指定用のバーコードをバーコードスキャナ２３にスキャンさせる等の所定の払出し終了指示を行う。
【００３６】
　この払出し終了指示を受けるとパーソナルコンピュータ２２は、今回の薬品払出しに関する払出し状況管理用情報を薬剤部端末２へと送信（ステップ７ｆ）する。なお払出し状況管理用情報は、処置室の識別情報、患者ＩＤ、払出した薬品の種別および各薬品の払出し数量などを含んでいる。
【００３７】
　このように処置室端末１から送信された払出し状況管理用情報は、トランシーバ６によってＬＡＮ回線５へと送出され、さらにサーバ４を介して薬剤部端末２に配信される。薬剤部端末２は到来した払出し状況管理用情報に基づいて料金管理用情報を必要に応じて作成し、上位ホスト１４へと送信する。料金管理用情報は、患者ＩＤ、払出した薬品の種別および各薬品の払出し数量などを含んでいる。
【００３８】
　さて上位ホスト１４は、待機状態において料金管理用情報が到来するか、または料金算出が指示されるのを待っている（図８中のステップ８ａおよびステップ８ｂ）。そして前述のように薬剤部端末２から料金管理用情報が送信され、これが到来すると、上位ホスト１４は、この配信された料金管理用情報を取り込み、内蔵しているメモリあるいは図示しない外部記憶装置に保持する。
【００３９】
　上位ホスト１４は、待機状態において所定の料金算出指示がなされると、内蔵しているメモリあるいは図示しない外部記憶装置に保持してある料金管理用情報のうちの料金算出をすべき患者に対応するものを考慮して料金の計算を行う（ステップ８ｄ）。なおこの計算の結果は、例えばディスプレイに表示させたり、漢字プリンタによりプリントアウトされる。
【００４０】
　一方、薬剤部端末２のパーソナルコンピュータ５１は、待機状態において払出し状況管理用情報が到来するか、出庫指示伝票の発行指示がなされるか、または補充モードが指定されるのを待っている（図９中のステップ９ａ、ステップ９ｂおよびステップ９ｃ）。そして前述のように処置室端末１から払出し状況管理用情報が送信され、これがサーバ４を介して配信されると、パーソナルコンピュータ５１は、この配信された払出し状況管理用情報に基づいて、内蔵しているメモリあるいは図示しない外部記憶装置に保持されている在庫管理情報を更新する（ステップ９ｄ）。なお在庫管理情報は各処置室端末１のラック２１に収容されている各薬品の在庫量などを示す情報である。
【００４１】
　パーソナルコンピュータ５１は、待機状態においてキーボード５３での所定のキー操作などにより出庫指示伝票の発行指示がなされると、内蔵しているメモリあるいは図示しない外部記憶装置に保持してある在庫管理情報を参照して、例えば各処置室の薬品在庫量や補充量などの一覧である出庫指示伝票を作成し、漢字プリンタ６４にプリントアウトさせる（ステップ９ｅ）。
【００４２】
　さて薬剤部の作業者は、上述の如く発行された出庫指示伝票を参照し、薬剤庫にストックされている薬品のうちの必要なものを所定の補充ボックスに取り出す作業（ピッキング）を行う。補充ボックスは様々な薬品の種類のそれぞれに対応するものが用意されており、各補充ボックスにはその対応する薬品に応じたバーコードが形成されている。また倉庫において薬品が収納されている収納ボックスにもそれぞれ薬品に応じたバーコードが形成されている。そこで作業者は、収納ボックスに形成されたバーコードおよび補充ボックスに形成されたバーコードを順次バーコードスキャナ５２によりスキャンさせる。
【００４３】
　このときパーソナルコンピュータ５１は、補充モードが指定されたことに応じてステップ９ｃから処理を移行し、バーコードスキャナ５２によりバーコードのスキャンがなされるのを待つ（ステップ９ｆ）。そして収納ボックスに形成されたバーコードおよび補充ボックスに形成されたバーコードの一方がバーコードスキャナ５２によりスキャンされると、パーソナルコンピュータ５１はバーコードスキャナ５２がバーコードを読み取って得られた信号からバーコードを判別するとともに、その判別結果を内部メモリに記憶保持しておく（ステップ９ｇ）。
【００４４】
　さらにパーソナルコンピュータ５１は、バーコードスキャナ５２によりバーコードのスキャンがなされるのを待ち（ステップ９ｈ）、他方のバーコードがバーコードスキャナ５２によりスキャンされると、バーコードスキャナ５２がバーコードを読み取って得られた信号からバーコードを判別する（ステップ９ｉ）。
【００４５】
　続いてパーソナルコンピュータ５１は、ステップ９ｇにおいて判別して保持しておいたバーコードとステップ９ｉにおいて判別したバーコードとを照合する（ステップ９ｊ）。ここで本実施例では、収納ボックスおよび補充ボックスには、それぞれ同一のバーコードを形成しておく。従って、補充ボックスから取り出す薬品とそれが移し替えられる補充ボックスと正しい関係にあれば、ステップ９ｊにおける照合において２つのバーコードが一致するはずである。
【００４６】
　そこでパーソナルコンピュータ５１は、ステップ９ｊにおける照合において２つのバーコードが一致したか否かの判断を行い（ステップ９ｋ）、一致したならば認証処理（ステップ９ｌ）を、また不一致であったならば警報処理（ステップ９ｍ）をそれぞれ行う。なお認証処理および警報処理は、薬品の取り出し先が正しい旨あるいは薬品の取り出し先に誤りがある旨を例えばディスプレイ５４での表示や報知音によって通知する処理である。
【００４７】
　なおパーソナルコンピュータ５１は、薬品使用状況をモデム１１、通信回線１２およびモデム１３を介して上位ホスト１４に伝送し、この上位ホスト１４に設けられた薬品管理システムにて、一定期間における各処置室での薬品使用量などといった各種の統計をとらせることもできる。
【００４８】
　さて作業者は、出庫指示伝票に従って取り出すべき薬品の全てを補充ボックスに正しく移し替え終えたら、その補充ボックスを補充先の処置室に運搬し、処置室端末１のラック２１に補充する。
【００４９】
　この際、作業者は、例えば処置室端末１のキーボード２５での所定のキー操作により補充モードを指定したのち、補充ボックスに形成されているバーコードと、補充ボックスにいれてある薬品を補充する薬品収容トレイ２８ａに対応するラベルに形成されているバーコードとを順次バーコードスキャナ２３によりスキャンさせる。
【００５０】
　このとき処置室端末１のパーソナルコンピュータ２２は、補充モードが指定されたことに応じてステップ７ａから処理を移行し、バーコードスキャナ２３によりバーコードのスキャンがなされるのを待つ（図７中のステップ７ｈ）。そして補充ボックスに形成されているバーコードおよびその補充ボックスに入れられている薬品を補充する薬品収容トレイ２８ａに対応するラベルに形成されているバーコードの一方がバーコードスキャナ２３によりスキャンされると、パーソナルコンピュータ２２はバーコードスキャナ２３がバーコードを読み取って得られた信号からバーコードを判別するとともに、その判別結果を内部メモリに記憶保持しておく（ステップ７ｉ）。
【００５１】
　さらにパーソナルコンピュータ２２は、バーコードスキャナ２３によりバーコードのスキャンがなされるのを待ち（ステップ７ｊ）、他方のバーコードがバーコードスキャナ２３によりスキャンされると、バーコードスキャナ２３がバーコードを読み取って得られた信号からバーコードを判別する（ステップ７ｋ）。
【００５２】
　続いてパーソナルコンピュータ２２は、ステップ７ｉにおいて判別して保持しておいたバーコードとステップ７ｋにおいて判別したバーコードとを照合する（ステップ７ｌ）。ここで本実施例では、ラベル２４には、そのラベル２４に対応する払出し機構８に収容される薬品に対応する補充ボックスに形成されているバーコードと同一のバーコードを形成しておく。従って、補充する薬品と、その薬品を補充する薬品収容トレイ８ａとが正しく選択されていれば、ステップ７ｌにおける照合において２つのバーコードが一致するはずである。
【００５３】
　そこでパーソナルコンピュータ２２は、ステップ７ｌにおける照合において２つのバーコードが一致したか否かの判断を行い（ステップ７ｍ）、一致したならば補充認証処理（ステップ７ｎ）を、また不一致であったならば警報処理（ステップ７ｏ）をそれぞれ行う。なお補充認証処理および警報処理は、薬品の補充先が正しい旨あるいは薬品の補充先に誤りがある旨を例えばディスプレイ２６での表示や報知音によって通知する処理である。
【００５４】
　以上のように本実施例によれば、処置室端末１においては、バーコードスキャナ２３によりスキャンされたバーコードに対応する薬品を１つだけ払出すとともに、患者毎の薬品の払出し数量を積算管理しているので、薬品の払出し状況を正確に管理することができ、人手による記帳などの管理作業も必要ない。
【００５５】
　また本実施例によれば、１患者に対する薬品払出しが終了する毎に、患者ＩＤ、払出した薬品の種別および各薬品の払出し数量などを含んだ料金管理用情報を薬剤部端末２から上位ホスト１４へと伝送し、上位ホスト１４においてはこの料金管理用情報を考慮した上で各患者に対する料金計算を行っている。これにより、処置室から医事課への薬品使用状況の連絡や上位ホスト１４における薬品使用状況の入力作業が必要ないために連絡ミスや入力ミスが生じることがなく、しかも各患者に対して使用した薬品を正確に把握した上で、各薬品の費用を確実に加算した料金を算出することができ、請求漏れなどの誤請求を防止することができる。また、処置室から医事課への薬品使用状況の連絡や上位ホスト１４における薬品使用状況の入力作業が必要ないので、処置室および医事課での作業を大幅に軽減できるとともに、料金計算に掛かる時間、ひいては患者の会計待ち時間を短縮することができる。
【００５６】
　また本実施例によれば、１患者に対する薬品払出しが終了する毎に、処置室の識別情報、払出した薬品の種別および各薬品の払出し数量などを含んだ払出し状況管理用情報を処置室端末１から薬剤部端末２へと伝送し、薬剤部端末２においてはこの払出し状況管理用情報に基いて各処置室における薬剤の在庫量を管理している。これにより、薬剤部において各処置室の在庫状況を正確に把握することができ、各処置室の薬品の定数管理を容易、かつ有効に実現できる。しかも、この薬品の定数管理を各処置室の作業者を一切介在することなしに薬剤部が単独で実施できるため、手間が軽減するとともに、迅速な薬品補充が可能である。また各処置室での薬品の在庫状況を正確に把握できることから、棚卸し管理を簡略化できるとともに、デッドストックを防止することもできる。
【００５７】
　また本実施例によれば、薬品の補充作業時には、薬剤部端末２においては収納ボックスに形成されたバーコードと補充ボックスに形成されたバーコードとの比較照合を行うことによってピッキングに正否を、また処置室端末１においては補充ボックスに形成されたバーコードと補充先の薬品収容トレイ８ａに対応するラベル２４に形成されたバーコードとの比較照合を行うことによって補充の正否をそれぞれ行っているので、薬品の補充作業の過程において薬品の取り違えが生じることを防止することができ、薬品収容トレイ８ａに誤った薬品が補充されてしまうことが有効に防止される。これにより、払出し時に指定した薬品と異なる薬品が払い出されてしまうといった不具合が生じることがなくなる。
【００５８】
　なお、本発明は上記実施例に限定されるものではない。例えば上記実施例では、処置室端末1-1 〜1-n 、薬剤部端末２をそれぞれＬＡＮ回線５を介して接続してなるシステムを例示しているが、単なる通信ケーブルや公衆電話回線等で接続しても良い。また上位ホスト１４は薬剤部端末２よりモデム１１，１２を介して接続してなるシステムを例示しているが、ＬＡＮ回線を介して医事課端末として接続しても良い。さらに処置室端末１の機能と薬剤部端末２の機能、処置室端末１の機能と上位ホスト１４、あるいは処置室端末１の機能と薬剤部端末２の機能と上位ホスト１４の機能とを単一の端末に持たせ、この端末において内部的に各機能間の情報の授受を行う形態とすることもできる。
【００５９】
　また上記実施例では、アンプル２９に収容されている薬品を取り扱うものとして説明したが、他の種類の薬品を対象とすることもできる。ただしこの場合には、払出し機構２８の構造を変更する必要がある。また払出し機構２８の具体的な構造は、アンプル２９を取り扱う場合であっても変形することが可能である。
【００６０】
　また上記実施例では、バーコードが１回スキャンされる毎に１つずつ薬品を払い出すものとしているが、キーボード２５などによる数量指定と組み合わせて、１回のバーコードスキャンに応じて複数の薬品を払い出すようにしても良い。
【００６１】
　また上記実施例では、収納ボックス、補充ボックスおよびラベル２４に形成されるバーコードを全て同一のものとしている。このように全てのバーコードを同一としておけば、両バーコードが一致するか否かにより対応関係を容易に判断することが可能であるが、例えば収納ボックス、補充ボックスおよび薬品収容トレイ８ａの対応関係を変更する場合にはそれぞれに形成されるバーコードも変更しなければならないという不具合が生じる場合もある。そこでこのような不具合が生じる場合には、それぞれのバーコードを特に統一はせずに、その対応関係をパーソナルコンピュータ２２，５１に登録しておく。そして補充モード時には、各バーコードを登録された対応関係を参照して照合し、ピッキングおよび補充位置の妥当性を判断すれば良い。
【００６２】
　また上記実施例では、払出しトレイ２１ｂおよび薬品収容トレイ２８ａを多数設けているが、払出しトレイ２１ｂは１つとして各薬品に共通としても良いし、また薬品収容トレイ２８ａは大きなトレイを間仕切りして各種の薬品を収容する収容区画を形成するようにしても良い。
【００６３】
　このほか、本発明の要旨を逸脱しない範囲で種々の変形実施が可能である。
【図面の簡単な説明】
【００６４】
【図１】本発明の一実施例に係る薬品払出し管理システムの概略構成を示すブロック図。
【図２】図１中の処置室端末１の外観を示す斜視図。
【図３】図２中のラック２１の内部に配置された払出し機構の概略構成を示す図。
【図４】図１中の処置室端末１の電気的な構成を示す機能ブロック図。
【図５】図１中の薬剤部端末２の電気的な構成を示す機能ブロック図。
【図６】図４中のパーソナルコンピュータ２２の処理手順を示すフローチャート。
【図７】図１中の上位ホスト１４の処理手順を示すフローチャート。
【図８】図５中のパーソナルコンピュータ５１の処理手順を示すフローチャート。
【符号の説明】
【００６５】
　１（1-1 〜1-n ）…処置室端末、２…薬剤部端末、４…サーバ、５…ＬＡＮ回線、２１…ラック、２１ａ…払出し口、２１ｂ…払出しトレイ、２２，５１，６１…パーソナルコンピュータ、２３，５２…バーコードスキャナ、２４…ラベル、２５，５３，６２…キーボード、２６，５４，６３…ディスプレイ、２７，５６，６６…カードリーダ、２８…払出し機構、２８ａ…薬品収容トレイ、２８ｂ…薬品押上げ部材、２８ｃ…押上げ部材駆動機構、２９…アンプル
【図１】
2004030692.tif 000003
【図２】
2004030692.tif 000004
【図３】
2004030692.tif 000005
【図４】
2004030692.tif 000006
【図５】
2004030692.tif 000007
【図６】
2004030692.tif 000008
【図７】
2004030692.tif 000009
【図８】
2004030692.tif 000010